【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
データと、当該データについてバイト単位で有効であるか否かを示す有効情報と、を含む信号を受信する受信手段と、
前記受信手段により受信したデータのうちの第１のビット数分のデータに対応する部分有効情報と、当該部分有効情報が有ることを示す識別子と、前記第１のビット数分のデータと、を対応付けて送信する送信手段と、を備えるデータ転送装置であって、
前記送信手段は前記データのうち、前記第１のビット数分のデータが有効である際には、当該第１のビット数分のデータに対応する部分有効情報の送信を省略することを特徴とするデータ転送装置。
【請求項２】
パケットを受信するパケット受信手段と、
前記パケットに含まれている第１の有効情報に基づいて第２の有効情報を生成する生成手段と、
前記生成手段で生成した第２の有効情報と前記パケットに含まれるデータとを送信する送信手段と、を備えるデータ転送装置であって、
前記生成手段は、前記受信手段の受信したパケットに含まれている識別子が前記パケットに含まれている第１のビット数分のデータに対応する第１の有効情報が無い事を示していると、当該識別子に対応する第１のビット数分のデータが有効であることを示す第２の有効情報を生成することを特徴とするデータ転送装置。
【請求項３】
前記生成手段は、前記受信手段の受信したパケットに含まれている識別子が前記パケットに含まれている第１のビット数分のデータに対応する第１の有効情報が有る事を示していると、当該有効情報に基づいて第２の有効情報を生成することを特徴とする請求項２に記載のデータ転送装置。
【請求項４】
所定長の複数のキャラクタを有するパケットを用いてデータ転送を行うデータ転送装置であって、
データと、当該データについてバイト単位で有効であるか否かを示す有効情報と、を含む信号をバスから受信する受信手段と、
前記バスから取得した有効情報のうちの第１のビット数分のデータに対応する部分有効情報と、当該部分有効情報が有ることを示す識別子とを含むイネーブルキャラクタと、前記受信手段の受信したデータのうちの第１のビット数分のデータを含むデータキャラクタ、とを生成する生成手段と、
前記生成手段の生成したイネーブルキャラクタとデータキャラクタとをセットとして含むパケットを送信する送信手段と、を備え、
前記生成手段は前記バスから受信した有効情報が所定のパターンであると前記イネーブルキャラクタの生成を省略することを特徴とするデータ転送装置。
【請求項５】
データを受信する受信手段と、
前記データについて第１のビット数毎に有効情報を生成する生成手段と、
前記生成手段で生成した有効情報と前記有効情報の有無を示す識別子と前記データとを送信する送信手段と、を備えるデータ転送装置であって、
前記生成手段は、前記データのうち第１のビット数分のデータが有効である際に、当該第１のビット数分のデータに対応する前記有効情報の生成を省略することを特徴とするデータ転送装置。
【請求項６】
前記生成手段は前記有効情報の有無を示す識別子を第２のビット数毎に生成することを特徴とする請求項４乃至５のいずれか１項に記載のデータ転送装置。
【請求項７】
所定長の複数のキャラクタを有するパケットを受信する受信手段と、
受信したパケットに含まれる複数のキャラクタそれぞれがデータキャラクタであるか、イネーブルキャラクタであるかを判別する判別手段と、
前記判別手段の判別したキャラクタがイネーブルキャラクタである場合、当該イネーブルキャラクタに対応するデータキャラクタの有効情報を抽出し、前記判別手段の判別したキャラクタがデータキャラクタであり且つ所定数連続している場合、当該所定数連続しているデータキャラクタに含まれるデータは有効であることを示す有効情報を生成する変換手段と、
前記変換手段による有効情報と前記パケットに含まれるデータとをバスに送信する送信手段とを有することを特徴とするデータ転送装置。
【請求項８】
前記送信手段は、前記判別手段がイネーブルキャラクタであると判別すると、当該イネーブルキャラクタに含まれる部分有効情報と、当該イネーブルキャラクタに後続して前記受信手段の受信する第１のビット数分のデータキャラクタとを関連付ける請求項７に記載のデータ転送装置。
【請求項９】
データと、当該データについて第２のビット数毎に有効であるか否かを示す有効情報と、を受信する受信手段と、
前記受信手段の受信したデータを、前記第２のビット数より大きい第１のビット数毎に送信する送信手段と、を備えるデータ転送装置であって、
前記送信手段は、当該送信手段が送信しようとする第１のビット数分のデータに無効なデータが含まれるたびに、当該第１のビット数分のデータに対応する有効情報と、当該有効情報が有ることを示す識別子と、を前記第１のビット数分のデータに対応づけて送信することを特徴とするデータ転送装置。
【請求項１０】
データと、当該データについてバイト単位で有効であるか否かを示す有効情報と、を含む信号を受信する受信工程と、
前記受信手段により受信したデータのうちの第１のビット数分のデータに対応する部分有効情報と、当該部分有効情報が有ることを示す識別子と、前記第１のビット数分のデータと、を対応付けて送信する送信工程と、を有するデータ転送方法であって、
前記送信工程において前記データのうち、前記第１のビット数分のデータが有効である際には、当該第１のビット数分のデータに対応する部分有効情報の送信を省略することを特徴とするデータ転送方法。
【請求項１１】
パケットを受信するパケット受信工程と、
前記パケットに含まれている第１の有効情報に基づいて第２の有効情報を生成する生成工程と、
前記生成工程で生成した第２の有効情報と前記パケットに含まれるデータとを送信する送信工程と、を有するデータ転送方法であって、
前記生成工程において、前記受信工程で受信したパケットに含まれている識別子が前記パケットに含まれている第１のビット数分のデータに対応する第１の有効情報が無い事を示していると、当該識別子に対応する第１のビット数分のデータが有効であることを示す第２の有効情報を生成することを特徴とするデータ転送方法。
【請求項１２】
所定長の複数のキャラクタを有するパケットを用いてデータ転送を行うデータ転送方法であって、
データと、当該データについてバイト単位で有効であるか否かを示す有効情報と、を含む信号をバスから受信する受信工程と、
前記バスから取得した有効情報のうちの第１のビット数分のデータに対応する部分有効情報と、当該部分有効情報が有ることを示す識別子とを含むイネーブルキャラクタと、前記受信工程で受信したデータのうちの第１のビット数分のデータを含むデータキャラクタ、とを生成する生成工程と、
前記生成工程で生成したイネーブルキャラクタとデータキャラクタとをセットとして含むパケットを送信する送信工程と、を有し、
前記生成工程において前記バスから受信した有効情報が所定のパターンであると前記イネーブルキャラクタの生成を省略することを特徴とするデータ転送方法。
【請求項１３】
データを受信する受信工程と、
前記データについて第１のビット数毎に有効情報を生成する生成工程と、
前記生成工程で生成した有効情報と前記有効情報の有無を示す識別子と前記データとを送信する送信工程と、を有するデータ転送方法であって、
前記生成工程は、前記データのうち第１のビット数分のデータが有効である際に、当該第１のビット数分のデータに対応する前記有効情報の生成を省略することを特徴とするデータ転送方法。
【請求項１４】
所定長の複数のキャラクタを有するパケットを受信する受信工程と、
受信したパケットに含まれる複数のキャラクタそれぞれがデータキャラクタであるか、イネーブルキャラクタであるかを判別する判別工程と、
前記判別工程の判別したキャラクタがイネーブルキャラクタである場合、当該イネーブルキャラクタに対応するデータキャラクタの有効情報を抽出し、前記判別手段の判別したキャラクタがデータキャラクタであり且つ所定数連続している場合、当該所定数連続しているデータキャラクタに含まれるデータは有効であることを示す有効情報を生成する変換工程と、
前記変換工程による有効情報と前記パケットに含まれるデータとをバスに送信する送信工程とを有することを特徴とするデータ転送方法。
【請求項１５】
データと、当該データについて第２のビット数毎に有効であるか否かを示す有効情報と、を受信する受信工程と、
前記受信工程の受信したデータを、前記第２のビット数より大きい第１のビット数毎に送信する送信工程と、を有するデータ転送方法であって、
前記送信工程は、当該送信手段が送信しようとする第１のビット数分のデータに無効なデータが含まれるたびに、当該第１のビット数分のデータに対応する有効情報と、当該有効情報が有ることを示す識別子と、を前記第１のビット数分のデータに対応づけて送信することを特徴とするデータ転送方法。
【手続補正２】
【補正対象書類名】明細書
【補正対象項目名】０００６
【補正方法】変更
【補正の内容】
【０００６】
以上の課題を解決するために本発明に係るデータ転送装置は、データと、当該データについてバイト単位で有効であるか否かを示す有効情報と、を含む信号を受信する受信手段と、前記受信手段により受信したデータのうちの第１のビット数分のデータに対応する部分有効情報と、当該部分有効情報が有ることを示す識別子と、前記第１のビット数分のデータと、を対応付けて送信する送信手段と、を備えるデータ転送装置であって、前記送信手段は前記データのうち、前記第１のビット数分のデータが有効である際には、当該第１のビット数分のデータに対応する部分有効情報の送信を省略することを特徴とする。